(57)【要約】  【課題】  画像読み取り装置において、両面原稿の表面画像と裏面画像との関係性に対応して、両面それぞれに対して画像変換処理が施された読み取り画像データをリアルタイムに生成するとともに、画像読み取り装置を安価に提供する。  【解決手段】  原稿の第１面を読み取るスキャナ装置７０と、原稿の第２面を読み取るＣＩＳ５０と、第１面と第２面との関係性の指定を受け付けるコントロールパネル８５と、コントロールパネル８５から入力された第１面と第２面との関係性に基づいて、スキャナ装置７０によって読み取られた第１面の画像データとＣＩＳ５０によって読み取られた第２面の画像データの一方または双方に画像変換処理を施す処理装置８０とを備えている。  【選択図】  図１
2005268893.tif 000002
【特許請求の範囲】
【請求項１】
原稿の第１面を読み取る第１の読み取り手段と、
前記原稿の第２面を読み取る第２の読み取り手段と、
前記第１面と前記第２面との関係性の指定を受け付ける関係性指定手段と、
前記関係性指定手段から入力された前記第１面と前記第２面との関係性に基づいて、前記第１の読み取り手段によって読み取られた当該第１面の画像データと前記第２の読み取り手段によって読み取られた当該第２面の画像データの一方または双方に画像変換処理を施す画像処理手段と
を備えたことを特徴とする画像読み取り装置。
【請求項２】
前記第１の読み取り手段と前記第２の読み取り手段とは、前記原稿の一度の搬送によってそれぞれ前記第１面と前記第２面とを読み取ることを特徴とする請求項１記載の画像読み取り装置。
【請求項３】
前記画像処理手段は、前記第１面の画像データと前記第２面の画像データのいずれか一方を、所定の画像データ量だけ蓄積するメモリを備えたことを特徴とする請求項１記載の画像読み取り装置。
【請求項４】
前記画像処理手段は、前記第１の読み取り手段によって読み取られた前記第１面の出力位置と、前記第２の読み取り手段によって読み取られた前記第２面の出力位置との位置関係が、前記原稿における表裏の位置関係と同一となるように画像変換処理することを特徴とする請求項１記載の画像読み取り装置。
【請求項５】
前記画像処理手段は、前記第１の読み取り手段によって読み取られた前記第１面の出力位置と、前記第２の読み取り手段によって読み取られた前記第２面の出力位置とが同一位置となるように画像変換処理することを特徴とする請求項１記載の画像読み取り装置。
【請求項６】
前記画像処理手段は、前記第１の読み取り手段によって読み取られた前記第１面の出力方向と、前記第２の読み取り手段によって読み取られた前記第２面の出力方向とが同一となるように画像変換処理することを特徴とする請求項１記載の画像読み取り装置。
【請求項７】
前記第１の読み取り手段および前記第２の読み取り手段は、それぞれ原稿の前記第１面または前記第２面の一部領域を読み取ることが可能に構成されたことを特徴とする請求項１記載の画像読み取り装置。
【請求項８】
原稿の第１面を読み取る第１の読み取り手段と、
前記第１の読み取り手段による前記第１面の読み取りの際の前記原稿の搬送時に、当該原稿の第２面を読み取る第２の読み取り手段と、
前記第１の読み取り手段により読み取られた前記第１面の出力画像と前記第２の読み取り手段により読み取られた前記第２面の出力画像との位置関係が、原稿の当該第１面と当該第２面との間において有していた所定の位置関係を有するように、当該第１面の画像データおよび／または当該第２面の画像データを画像変換処理する画像処理手段と
を備えたことを特徴とする画像読み取り装置。
【請求項９】
前記第１面の画像データおよび／または前記第２面の画像データは、移動、回転、拡大、縮小のうちのいずれかまたは複数の処理が行われることを特徴とする請求項８記載の画像読み取り装置。
【請求項１０】
前記第１面の画像データと前記第２面の画像データとは、前記第１面の出力画像と前記第２面の出力画像との位置関係が、前記原稿における表裏の位置関係を保持して、同一位置となるように画像変換処理されることを特徴とする請求項８記載の画像読み取り装置。
【請求項１１】
前記第１の読み取り手段は前記第１面の一部領域を読み取り、前記第２の読み取り手段は前記第２面の一部領域を読み取ることを特徴とする請求項８記載の画像読み取り装置。
【請求項１２】
原稿の第１面を読み取る第１の読み取り手段と、
前記第１の読み取り手段による前記第１面の読み取りと略同時に、前記原稿の第２面を読み取る第２の読み取り手段と、
前記原稿のサイズを認識する原稿サイズ認識手段と、
前記第１面における画像読み取り領域を決定する第１面読み取り領域決定手段と、
前記第２面における画像読み取り領域を決定する第２面読み取り領域決定手段と、
前記第１面と前記第２面との関係性を認識する関係性認識手段と、
前記第１の読み取り手段によって読み取られた前記第１面の画像データと前記第２の読み取り手段によって読み取られた前記第２面の画像データの一方または双方に画像変換処理を施す画像処理手段とを備え、
前記画像処理手段は、前記関係性認識手段により認識された前記第１面と前記第２面との関係性に基づいて画像変換処理を施すことを特徴とする画像読み取り装置。
【請求項１３】
前記第１面読み取り領域決定手段は、前記第１面における画像読み取り領域をユーザからの指定により決定し、前記第２面読み取り領域決定手段は、前記第２面における画像読み取り領域をユーザからの指定により決定することを特徴とする請求項１２記載の画像読み取り装置。
【請求項１４】
前記第１面読み取り領域決定手段は、前記第１面における画像読み取り領域をユーザからの指定により決定し、前記第２面読み取り領域決定手段は、当該第１面における画像読み取り領域と、前記関係性認識手段により認識された当該第１面と当該第２面との関係性に基づいて決定することを特徴とする請求項１２記載の画像読み取り装置。
【請求項１５】
前記第１面読み取り領域決定手段および前記第２面読み取り領域決定手段は、前記第１面における画像読み取り領域と、前記第２面における画像読み取り領域と、前記関係性認識手段により認識された当該第１面と当該第２面との関係性に基づいて決定することを特徴とする請求項１２記載の画像読み取り装置。
【請求項１６】
前記第１面と前記第２面の画像の方向を認識する画像方向認識手段をさらに備え、前記画像処理手段は、当該画像方向認識手段によって認識された画像の方向を加味して画像変換処理を施すことを特徴とする請求項１２記載の画像読み取り装置。
【請求項１７】
前記画像処理手段は、前記第１面読み取り領域決定手段によって決定された画像読み取り領域に関する出力画像と、前記第２面読み取り領域決定手段によって決定された画像読み取り領域に関する出力画像とが、前記原稿サイズ認識手段によって認識された原稿サイズの領域内に位置するように画像変換処理を施すことを特徴とする請求項１２記載の画像読み取り装置。
【請求項１８】
前記画像処理手段は、前記第１面読み取り領域決定手段によって決定された画像読み取り領域に関する出力画像と、前記第２面読み取り領域決定手段によって決定された画像読み取り領域に関する出力画像とが、前記原稿サイズ認識手段によって認識された原稿サイズの領域内の表裏同一領域に位置するように画像変換処理を施すことを特徴とする請求項１２記載の画像読み取り装置。
【請求項１９】
前記画像処理手段は、前記第１面読み取り領域決定手段によって決定された画像読み取り領域に関する出力画像と、前記第２面読み取り領域決定手段によって決定された画像読み取り領域に関する出力画像とが、前記原稿サイズ認識手段によって認識された原稿サイズの領域内の同一位置に出力されるように画像変換処理を施すことを特徴とする請求項１２記載の画像読み取り装置。
【請求項２０】
原稿の一度の搬送によって、第１の読み取り手段により当該原稿の第１面を読み取り、第２の読み取り手段により当該原稿の第２面を読み取る画像読み取り装置であって、
前記第１面における画像読み取り領域を決定する第１面読み取り領域決定手段と、
前記第２面における画像読み取り領域を決定する第２面読み取り領域決定手段と、
前記第１面読み取り領域決定手段により決定された前記第１面における画像読み取り領域の画像方向と、前記第２面読み取り領域決定手段により決定された前記第２面における画像読み取り領域の画像方向とを認識する画像方向認識手段と、
前記第１の読み取り手段によって読み取られた前記第１面の画像データと前記第２の読み取り手段によって読み取られた前記第２面の画像データの一方または双方に画像変換処理を施す画像処理手段とを備え、
前記画像処理手段は、前記画像方向認識手段によって認識された当該第１面における画像読み取り領域の画像方向と、当該第２面における画像読み取り領域の画像方向とに基づき、画像変換処理を施すことを特徴とする画像読み取り装置。
【請求項２１】
前記画像処理手段は、前記第１面における画像読み取り領域の画像方向と、前記第２面における画像読み取り領域の画像方向とを、いづれか一方の画像方向に揃える画像変換処理を施すことを特徴とする請求項２０記載の画像読み取り装置。
【請求項２２】
前記画像処理手段は、前記第１面における画像読み取り領域の画像方向と、前記第２面における画像読み取り領域の画像方向とを、同一の辺の方向に揃える画像変換処理を施すことを特徴とする請求項２０記載の画像読み取り装置。
【発明の詳細な説明】
【技術分野】
【０００１】
本発明は、原稿上の画像を読み取る画像読み取り装置に関し、より詳しくは両面画像を読み取る機能を備えた画像読み取り装置に関する。
【背景技術】
【０００２】
従来、複写機やファクシミリ等に備えられる画像読み取り部やコンピュータ入力用のスキャナ等では、原稿における表裏両面の画像情報をユーザの介在なしに自動的に読み取る画像読み取り装置(自動両面読み取り装置)が用いられている。これらの自動両面読み取り装置においては、原稿反転機構を配置して、原稿を表裏反転させることで両面を読み取る方法が一般的に採用されている。そして、表裏反転させて画像情報を入力する際には、特定の原稿読み取り部で表面の画像を読み取った後、この原稿を表裏反転させて再びこの特定の原稿読み取り部に搬送し、裏面の画像が読み取られる。
【０００３】
このような表裏反転による自動両面読み取り装置では、一旦、原稿を排出した後に反転させ、そして再度、反転させた原稿を原稿読み取り部に搬送する必要がある。そのため、両面読み取りに多くの時間を必要とすることから、両面読み取りの生産性が低下してしまうという不都合がある。これに対して、原稿を搬送する原稿パスの表裏両面側に２つのイメージセンサを設け、原稿を表裏反転させることなく、１回の原稿搬送で原稿の両面を自動的に読み取る技術が提案されている(例えば、特許文献１参照)。
【０００４】
【特許文献１】特開２０００−３５６８６７号公報(第５頁、図１)
【発明の開示】
【発明が解決しようとする課題】
【０００５】
ところで、かかる自動両面読み取り装置によって読み込まれる原稿には、原稿の表面画像と裏面画像とで配置位置や方向、大きさ等がそれぞれ異なるものも多くある。これに対して、読み取られた両面原稿を出力させる際に、表面画像と裏面画像との相互間において、出力位置や方向、大きさを揃えたり、表面画像の出力位置に対応した裏面位置に裏面画像を出力させる等、表面画像と裏面画像との間の関係性を考慮した出力を行なうことが必要である場合も多くある。
しかしながら、このような多種多様の両面原稿に対して、自動両面読み取り装置によって読み取られた両面画像を所望の態様に処理して出力する場合には、従来は、一旦、表面画像と裏面画像の画像データをそれぞれメモリに記憶し、記憶された表面画像と裏面画像の画像データに対して所望の画像変換処理を行っていたため、両面について画像出力を行なうには時間がかかるという問題があった。そのため、自動両面読み取り装置によって両面画像を同時に読み取ることができても、両面原稿それぞれにおいて所望の処理が施された読み取り画像データをリアルタイムに生成することができなかった。
また、表面画像と裏面画像の画像データをそれぞれ記憶するメモリは、大容量となるため、製造コストの低減を妨げる要因となっていた。
【０００６】
そこで本発明は、以上のような技術的課題を解決するためになされたものであり、その目的とするところは、両面原稿の表面画像と裏面画像との関係性に対応させて、両面それぞれに対して画像変換処理が施された読み取り画像データをリアルタイムに生成することが可能な画像読み取り装置を提供することにある。
また他の目的は、大きなメモリを必要とせず、安価な画像読み取り装置を提供することにある。
【課題を解決するための手段】
【０００７】
かかる目的のもと、本発明の画像読み取り装置は、原稿の第１面を読み取る第１の読み取り手段と、原稿の第２面を読み取る第２の読み取り手段と、第１面と第２面との関係性の指定を受け付ける関係性指定手段と、関係性指定手段から入力された第１面と第２面との関係性に基づいて、第１の読み取り手段によって読み取られた第１面の画像データと第２の読み取り手段によって読み取られた第２面の画像データの一方または双方に画像変換処理を施す画像処理手段とを備えたことを特徴としている。なお、ここでは、第１面と第２面との関係性とは、第１面の位置に対応した裏面位置に第２面を位置させる必要がある関係にあるか、または、第１面の位置とは独立させた裏面位置に第２面を位置させてもよい関係にあるかを意味する。
【０００８】
ここで、第１の読み取り手段と第２の読み取り手段とは、原稿の一度の搬送によってそれぞれ第１面と第２面とを読み取ることを特徴とすることができる。また、画像処理手段は、第１面の画像データと第２面の画像データのいずれか一方を、所定の画像データ量だけ蓄積するメモリを備えた構成とすることができる。
さらには、画像処理手段は、第１の読み取り手段によって読み取られた第１面の出力位置と、第２の読み取り手段によって読み取られた第２面の出力位置との位置関係が、原稿における表裏の位置関係と同一となるように画像変換処理することができる。また、画像処理手段は、第１の読み取り手段によって読み取られた第１面の出力位置と、第２の読み取り手段によって読み取られた第２面の出力位置とが同一位置となるように画像変換処理することができる。加えて、画像処理手段は、第１の読み取り手段によって読み取られた第１面の出力方向と、第２の読み取り手段によって読み取られた第２面の出力方向とが同一となるように画像変換処理することができる。また、第１の読み取り手段および第２の読み取り手段は、それぞれ原稿の第１面または第２面の一部領域を読み取ることが可能に構成されたことを特徴とすることもできる。
【０００９】
また、本発明の画像読み取り装置は、原稿の第１面を読み取る第１の読み取り手段と、第１の読み取り手段による第１面の読み取りの際の原稿の搬送時に、原稿の第２面を読み取る第２の読み取り手段と、第１の読み取り手段により読み取られた第１面の出力画像と第２の読み取り手段により読み取られた第２面の出力画像との位置関係が、原稿の第１面と第２面との間において有していた所定の位置関係を有するように、第１面の画像データおよび／または第２面の画像データを画像変換処理する画像処理手段とを備えたことを特徴としている。
ここで、第１面の画像データおよび／または第２面の画像データは、移動、回転、拡大、縮小のうちのいずれかまたは複数の処理が行われることを特徴とすることができる。また、第１面の画像データと第２面の画像データとは、第１面の出力画像と第２面の出力画像との位置関係が、原稿における表裏の位置関係を保持して、同一位置となるように画像変換処理されることを特徴とすることもできる。さらに、第１の読み取り手段は第１面の一部領域を読み取り、第２の読み取り手段は第２面の一部領域を読み取ることができる。
【００１０】
さらに、本発明の画像読み取り装置は、原稿の第１面を読み取る第１の読み取り手段と、第１の読み取り手段による第１面の読み取りと略同時に、原稿の第２面を読み取る第２の読み取り手段と、原稿のサイズを認識する原稿サイズ認識手段と、第１面における画像読み取り領域を決定する第１面読み取り領域決定手段と、第２面における画像読み取り領域を決定する第２面読み取り領域決定手段と、第１面と第２面との関係性を認識する関係性認識手段と、第１の読み取り手段によって読み取られた第１面の画像データと第２の読み取り手段によって読み取られた第２面の画像データの一方または双方に画像変換処理を施す画像処理手段とを備え、画像処理手段は、関係性認識手段により認識された第１面と第２面との関係性に基づいて画像変換処理を施すことを特徴としている。
【００１１】
ここで、第１面読み取り領域決定手段は、第１面における画像読み取り領域をユーザからの指定により決定し、第２面読み取り領域決定手段は、第２面における画像読み取り領域をユーザからの指定により決定することができる。また、第１面読み取り領域決定手段は、第１面における画像読み取り領域をユーザからの指定により決定し、第２面読み取り領域決定手段は、第１面における画像読み取り領域と、関係性認識手段により認識された第１面と第２面との関係性に基づいて決定することもできる。さらには、第１面読み取り領域決定手段および第２面読み取り領域決定手段は、第１面における画像読み取り領域と、第２面における画像読み取り領域と、関係性認識手段により認識された第１面と第２面との関係性に基づいて決定することもできる。
また、第１面と第２面の画像の方向を認識する画像方向認識手段をさらに備え、画像処理手段は、画像方向認識手段によって認識された画像の方向を加味して画像変換処理を施すことができる。
【００１２】
さらに、画像処理手段は、第１面読み取り領域決定手段によって決定された画像読み取り領域に関する出力画像と、第２面読み取り領域決定手段によって決定された画像読み取り領域に関する出力画像とが、原稿サイズ認識手段によって認識された原稿サイズの領域内に位置するように画像変換処理を施すことができる。また、画像処理手段は、第１面読み取り領域決定手段によって決定された画像読み取り領域に関する出力画像と、第２面読み取り領域決定手段によって決定された画像読み取り領域に関する出力画像とが、原稿サイズ認識手段によって認識された原稿サイズの領域内の表裏同一領域に位置するように画像変換処理を施すこともできる。加えて、画像処理手段は、第１面読み取り領域決定手段によって決定された画像読み取り領域に関する出力画像と、第２面読み取り領域決定手段によって決定された画像読み取り領域に関する出力画像とが、原稿サイズ認識手段によって認識された原稿サイズの領域内の同一位置に出力されるように画像変換処理を施すこともできる。または、原稿における表裏の位置関係を保つことを優先して画像処理を施すこともできる。
【００１３】
さらにまた、本発明の画像読み取り装置は、原稿の一度の搬送によって、第１の読み取り手段により原稿の第１面を読み取り、第２の読み取り手段により原稿の第２面を読み取る画像読み取り装置であって、第１面における画像読み取り領域を決定する第１面読み取り領域決定手段と、第２面における画像読み取り領域を決定する第２面読み取り領域決定手段と、第１面読み取り領域決定手段により決定された第１面における画像読み取り領域の画像方向と、第２面読み取り領域決定手段により決定された第２面における画像読み取り領域の画像方向とを認識する画像方向認識手段と、第１の読み取り手段によって読み取られた第１面の画像データと第２の読み取り手段によって読み取られた第２面の画像データの一方または双方に画像変換処理を施す画像処理手段とを備え、画像処理手段は、画像方向認識手段によって認識された第１面における画像読み取り領域の画像方向と、第２面における画像読み取り領域の画像方向とに基づき、画像変換処理を施すことを特徴としている。
ここで、画像処理手段は、第１面における画像読み取り領域の画像方向と、第２面における画像読み取り領域の画像方向とを、いづれか一方の画像方向に揃える画像変換処理を施すことができる。また、第１面における画像読み取り領域の画像方向と、第２面における画像読み取り領域の画像方向とを、同一の辺の方向に揃える画像変換処理を施すこともできる。
【発明の効果】
【００１４】
本発明の効果として、画像読み取り装置において、両面原稿の表面画像と裏面画像との関係性に対応して、両面それぞれに対して画像変換処理が施された読み取り画像データをリアルタイムに生成するとともに、画像読み取り装置を安価に製造することが可能となった。
【発明を実施するための最良の形態】
【００１５】
以下、添付図面に示す実施の形態に基づいて、本発明を詳細に説明する。
図１は本実施の形態が適用される画像読み取り装置を示した図である。この画像読み取り装置は、積載された原稿束から原稿を順次、搬送する原稿送り装置１０、スキャンによって画像を読み込む第１の読み取り手段を構成するスキャナ装置７０、読み込まれた画像信号を処理する画像処理手段の一例としての処理装置８０、およびユーザからの指示入力を受け付けるコントロールパネル８５で構成されている。
【００１６】
原稿送り装置１０は、給紙部の構成要素の一例として、複数枚の原稿からなる原稿束を積載する原稿トレイ１１、原稿トレイ１１を上昇および下降させるトレイリフタ１２を備えている。また、トレイリフタ１２により上昇された原稿トレイ１１の原稿を搬送するナジャーロール１３、ナジャーロール１３により搬送された原稿をさらに下流側まで搬送するフィードロール１４、ナジャーロール１３により供給される原稿を１枚ずつ捌くリタードロール１５を備えている。最初に原稿が搬送される第１搬送路３１には、一枚ずつに捌かれた原稿を下流側のロールまで搬送するテイクアウェイロール１６、原稿をさらに下流側のロールまで搬送すると共にループ作成を行うプレレジロール１７、一旦、停止した後にタイミングを合わせて回転を再開し、原稿読み取り部に対してレジストレーション調整を施しながら原稿を供給するレジロール１８、読み込み中の原稿搬送をアシストするプラテンロール１９、読み込まれた原稿をさらに下流に搬送するアウトロール２０を備えている。また、第１搬送路３１には、搬送される原稿のループ状態に応じて支点を中心として回動するバッフル４１を備えている。さらに、プラテンロール１９とアウトロール２０との間には、本実施の形態における第２の読み取り手段であるＣＩＳ(Contact Image Sensor)５０が備えられている。
【００１７】
アウトロール２０の下流側には、第２搬送路３２および第３搬送路３３が設けられ、これらの搬送路を切り替える搬送路切替ゲート４２、読み込みが終了した原稿を積載させる排出トレイ４０、排出トレイ４０に向けて原稿を排出させる第１排出ロール２１を備えている。また、第３搬送路３３を経由した原稿に対してスイッチバックさせる第４搬送路３４、第４搬送路３４に設けられて実際に原稿のスイッチバックを行うインバータロール２２およびインバータピンチロール２３、第４搬送路３４によってスイッチバックされた原稿をプレレジロール１７等が配置された第１搬送路３１に再度導く第５搬送路３５、第４搬送路３４によってスイッチバックされた原稿を排出トレイ４０に排出する第６搬送路３６、第６搬送路３６に設けられて反転排出される原稿を第１排出ロール２１まで搬送する第２排出ロール２４、第５搬送路３５および第６搬送路３６の搬送経路を切り替える出口切替ゲート４３を備えている。
【００１８】
ナジャーロール１３は、待機時にはリフトアップされて退避位置に保持され、原稿搬送時にニップ位置(原稿搬送位置)へ降下して原稿トレイ１１上の最上位の原稿を搬送する。ナジャーロール１３およびフィードロール１４は、フィードクラッチ(図示せず)の連結によって原稿の搬送を行う。プレレジロール１７は、停止しているレジロール１８に原稿先端を突き当ててループを作成する。レジロール１８では、ループ作成時に、レジロール１８に噛み込んだ原稿先端をニップ位置まで戻している。このループが形成されると、バッフル４１は支点を中心として開き、原稿のループを妨げることのないように機能している。また、テイクアウェイロール１６およびプレレジロール１７は、読み込み中におけるループを保持している。このループ形成によって、読み込みタイミングの調整が図られ、また、読み込み時における原稿搬送に伴うスキューを抑制して、位置合わせの調整機能を高めることができる。読み込みの開始タイミングに合わせて、停止されていたレジロール１８が回転を開始し、プラテンロール１９によって、第２プラテンガラス７２Ｂに押圧されて、ＣＣＤイメージセンサ７８によって下面方向から画像データが読み込まれる。
【００１９】
搬送路切替ゲート４２は、片面原稿の読み取り終了時、および両面原稿の両面同時読み取りの終了時において、アウトロール２０を経由した原稿を第２搬送路３２に導き、排出トレイ４０に排出するように切り替えられる。一方、この搬送路切替ゲート４２は、両面原稿の順次読み取り時には、原稿を反転させるために、第３搬送路３３に原稿を導くように切り替えられる。インバータピンチロール２３は、両面原稿の順次読み取り時に、フィードクラッチ(図示せず)がオフの状態でリトラクトされてニップが開放され、インバータパス(第４搬送路３４)へ原稿を導いている。その後、このインバータピンチロール２３はニップされ、インバータロール２２によってインバートする原稿をプレレジロール１７へ導き、また、反転排出する原稿を第６搬送路３６の第２排出ロール２４まで搬送している。
【００２０】
スキャナ装置７０は、上述した原稿送り装置１０を載置可能に構成されると共に、この原稿送り装置１０を装置フレーム７１によって支え、また、原稿送り装置１０によって搬送された原稿の画像読み取りを行っている。このスキャナ装置７０は、筐体を形成する装置フレーム７１に、画像を読み込むべき原稿を静止させた状態で載置する第１プラテンガラス７２Ａ、原稿送り装置１０によって搬送中の原稿を読み取るための光の開口部を形成する第２プラテンガラス７２Ｂが設けられている。
【００２１】
また、スキャナ装置７０は、第２プラテンガラス７２Ｂの下に静止し、または第１プラテンガラス７２Ａの全体に亘ってスキャンして画像を読み込むフルレートキャリッジ７３、フルレートキャリッジ７３から得られた光を結像部へ導くハーフレートキャリッジ７５を備えている。フルレートキャリッジ７３には、原稿に光を照射する照明ランプ７４、原稿から得られた反射光を受光する第１ミラー７６Ａが備えられている。さらに、ハーフレートキャリッジ７５には、第１ミラー７６Ａから得られた光を結像部へ導く第２ミラー７６Ｂおよび第３ミラー７６Ｃが備えられている。さらに、スキャナ装置７０は、第３ミラー７６Ｃから得られた光学像を光学的に縮小する結像用レンズ７７、結像用レンズ７７によって結像された光学像を光電変換するＣＣＤ(Charge Coupled Device)イメージセンサ７８、ＣＣＤイメージセンサ７８と一体に構成された駆動基板７９を備え、ＣＣＤイメージセンサ７８によって得られた画像信号は駆動基板７９を介して処理装置８０に送られる。
【００２２】
ここで、まず、第１プラテンガラス７２Ａに載置された原稿の画像を読み取る場合には、フルレートキャリッジ７３とハーフレートキャリッジ７５とが、２：１の割合でスキャン方向(矢印方向)に移動する。このとき、フルレートキャリッジ７３の照明ランプ７４の光が原稿の被読み取り面に照射されると共に、その原稿からの反射光が第１ミラー７６Ａ、第２ミラー７６Ｂ、および第３ミラー７６Ｃの順に反射されて結像用レンズ７７に導かれる。結像用レンズ７７に導かれた光は、ＣＣＤイメージセンサ７８の受光面に結像される。ＣＣＤイメージセンサ７８は、Ｒ（赤）、Ｇ（緑）、Ｂ（青）の３色用の１次元のセンサが３列一組で配置されて構成されており、各色毎に１ライン分を同時に処理している。このライン方向(スキャンの主走査方向)の１ラインの読み取りが終了すると、主走査方向とは直交する方向(副走査方向)にフルレートキャリッジ７３を移動させ、原稿の次のラインを読み取る。これを原稿サイズ全体に亘って実行することで、１ページの原稿読み取りを完了させる。
【００２３】
一方、第２プラテンガラス７２Ｂは、例えば長尺の板状構造をなす透明なガラスプレートで構成される。原稿送り装置１０によって搬送される原稿がこの第２プラテンガラス７２Ｂの上を通過する。このとき、フルレートキャリッジ７３とハーフレートキャリッジ７５とは、図１に示す実線の位置に停止した状態にある。まず、原稿送り装置１０のプラテンロール１９を経た原稿の１ライン目の反射光が、第１ミラー７６Ａ、第２ミラー７６Ｂ、および第３ミラー７６Ｃを経て結像用レンズ７７によって結像され、本実施の形態における第１のセンサであるＣＣＤイメージセンサ７８から画像が読み込まれる。すなわち、Ｒ（赤）、Ｇ（緑）、Ｂ（青）の３色用の１次元のセンサが３列一組で配置されたＣＣＤイメージセンサ７８によって主走査方向の１ライン分を各色毎に同時に処理した後、原稿送り装置１０によって搬送される原稿の次の主走査方向の１ラインが読み込まれる。原稿の先端が第２プラテンガラス７２Ｂの読み取り位置に到達した後、原稿が第２プラテンガラス７２Ｂの読み取り位置を通過することによって、副走査方向に亘って１ページの読み取りが完了する。
【００２４】
本実施の形態では、フルレートキャリッジ７３とハーフレートキャリッジ７５とを停止させ、第２プラテンガラス７２ＢにてＣＣＤイメージセンサ７８により原稿の第１面の読み取りを行う原稿の搬送時に、同時(時間の完全一致ではなく、同一の原稿搬送時程度の意味としての「同時」) に第２のセンサであるＣＩＳ５０によって、原稿の第２面の読み取りを行うことが可能に構成されている。すなわち、第１のセンサであるＣＣＤイメージセンサ７８と第２のセンサであるＣＩＳ５０とを用いて、搬送路への原稿の一度の搬送によって、この原稿における表裏両面の画像を同時に読み取ることが可能であるように構成している。
【００２５】
図２は、画像読み取りを行うＣＩＳ５０の構造を説明するための図である。図２に示すように、ＣＩＳ５０は、プラテンロール１９とアウトロール２０との間に設けられる。原稿の片面(第１面、表面)は、第２プラテンガラス７２Ｂに押し当てられ、この第１面の画像はＣＣＤイメージセンサ７８にて読み込まれる。一方、ＣＩＳ５０では、原稿を搬送する搬送路を介して対向する他方の側から、片面(第２面、裏面)の画像が読み込まれる。このＣＩＳ５０は、ガラス５１と、このガラス５１を透過して原稿の第２面に光を照射するＬＥＤ(Light Emitting Diode)５２と、ＬＥＤ５２からの反射光を集光するレンズアレイであるセルフォックレンズ５３と、このセルフォックレンズ５３により集光された光を読み取るイメージセンサであるラインセンサ５４とを備えている。ラインセンサ５４としては、ＣＣＤやＣＭＯＳセンサ、密着型センサ等を用いることができ、実寸幅(例えばＡ４長手幅２９７ｍｍ)の画像を読み取ることが可能である。ＣＩＳ５０では、縮小光学系を用いずに、セルフォックレンズ５３とラインセンサ５４を用いて画像の取り込みを行うことから、構造をシンプルにすることができ、かつ、筐体を小型化し、消費電力を低減することができる。また、カラー画像を読み込むために、ＬＥＤ５２にＲ(赤)、Ｇ(緑)、Ｂ(青)の３色のＬＥＤ光源を組み合わせ、ラインセンサ５４としてＲ、Ｇ、Ｂの３色用の３列一組のセンサを用いている。第１面の画像の読み込みと同様に、１次元のラインセンサ５４によって主走査方向の１ライン分を各色毎に同時に処理した後、搬送される原稿における次の主走査方向の１ラインが読み込まれる。このようにして、搬送される原稿の裏面について、副走査方向に亘って１ページの読み取りを行う。
【００２６】
また、ＣＩＳ５０による画像読み取りに際して、この読み取り部を構成する搬送路に、ＣＩＳ５０の筐体から延びる制御部材５５、制御部材５５によって押し付けられた用紙を突き当てる突き当て部材６０を備えている。また、この突き当て部材６０の下流側にはガイド部材６１が設けられている。制御部材５５および突き当て部材６０は、原稿の搬送路に直交する方向に亘って、原稿送り装置の前面から後面まで、搬送路の位置に対応して設けられている。
【００２７】
さらに、ＣＩＳ５０は、光学結像レンズにセルフォックレンズ５３を採用していることから、焦点(被写界)深度は±０.３ｍｍ程度と浅く、スキャナ装置７０を用いた場合に比べて約１／１３以下の被写界深度となっている。そのために、ＣＩＳ５０による読み取りに際しては、原稿の読み取り位置を所定の狭い範囲内に定めることが要求される。そこで、本実施の形態では、制御部材５５を設け、原稿を制御部材５５によって突き当て部材６０に押し当てて搬送し、プラテンロール１９とアウトロール２０との間にある原稿の姿勢を安定的に制御できるように構成している。図２の二点鎖線矢印は、制御部材５５を設けた場合の用紙の動きを示したものであるが、搬送される用紙は、原稿が突き当て部材６０に押し当てられながら搬送される。このように、制御部材５５によって搬送される原稿を突き当て部材６０に押し当てられた状態で原稿面を読み取る構成を採用することで、被写界深度の浅いＣＩＳ５０を用いた場合のピントの許容量の小ささを補償している。
【００２８】
なお、本実施の形態では、ＣＩＳ５０の読み取り基準面に、シェーディング補正のための白色基準板の配置は必ずしも必要としない。原稿は突き当て部材６０に突き当てられて搬送されることから、原稿は突き当て部材６０にゴミ等が付着し易い。ゴミ等が付着した状態でシェーディング補正を施すと、読み取り画像においてスジ状の画像不良の発生が懸念される。そのために、例えば、後段で説明する処理装置８０の内部に、製品出荷時等に測定されたシェーディングデータを予め格納しておき、この格納されているシェーディングデータに基づいてシェーディング補正をするように構成することもできる。
【００２９】
また、本実施の形態の画像読み取り装置においては、ユーザはコントロールパネル８５を用いて、原稿の大きさ（サイズ）の指定と、表面原稿(第１面)に関する画像読み取り領域の指定と、裏面原稿(第２面)に関する画像読み取り領域との指定とを行うことができるように構成されている。さらに、ユーザはコントロールパネル８５を用いて、指定された表面原稿および裏面原稿の画像読み取り領域における画像の方向（画像が向く方向）を指定することができるように構成されている。加えて、ユーザはコントロールパネル８５を用いて、表面原稿と裏面原稿との相互間における関係性の有無を指定することもできる。ここで、表面原稿と裏面原稿との相互間の関係性とは、表面原稿の位置に対応した裏面位置に裏面原稿を位置させる必要がある関係にあるか、または、表面原稿の位置とは独立させた裏面位置に裏面原稿を位置させてもよい関係にあるかを意味する。したがって、前者の関係では、表面原稿の位置によって裏面原稿の位置は決定され、後者の関係では、表面原稿の位置以外の要因によって裏面原稿の位置を決定することができる。
さらに、必要に応じて、ユーザはコントロールパネル８５を用いて、読み取られた画像の出力位置を指定することや、出力画像に対する種々の画像変換の種類の指定もできるように構成することもできる。
【００３０】
このように、本実施の形態のコントロールパネル８５は、原稿サイズの指定を受け付ける原稿サイズ認識手段と、表面原稿（第１面）における画像読み取り領域の指定を受け付ける第１面読み取り領域決定手段と、裏面原稿（第２面）における画像読み取り領域の指定を受け付ける第２面読み取り領域決定手段と、画像方向認識手段と、表面原稿と裏面原稿との関係性の有無の指定を受け付ける関係性指定手段（関係性認識手段）と、さらには出力位置指定手段、画像変換種類指定手段とを兼ねている。
【００３１】
次に、処理装置８０について説明する。
図３は、処理装置８０の構成を説明するためのブロック図である。本実施の形態の処理装置８０は、主として、ＣＣＤイメージセンサ７８およびＣＩＳ５０（ラインセンサ５４）から得られた画像情報を処理する信号処理部８１と、原稿送り装置１０およびスキャナ装置７０を制御する制御部９０とを備えている。信号処理部８１は、表面原稿を読み取るＣＣＤイメージセンサ７８および裏面原稿を読み取るＣＩＳ５０のラインセンサ５４からの各々の出力に対して所定の画像処理を施している。
この信号処理部８１は、ラインセンサ５４から出力された裏面原稿からの画像データに対してサンプルホールドやオフセット調整、Ａ／Ｄ変換等を行うＡＦＥ(Analog Front End)８２、ＣＣＤイメージセンサ７８から出力された表面原稿からの画像データに対してサンプルホールドやオフセット調整、Ａ／Ｄ変換等を行うＡＦＥ８３を有している。なお、これらの機能は、それぞれＣＩＳ５０、ＣＣＤイメージセンサ７８の内部にて処理されるように構成することもできる。
また、信号処理部８１では、デジタル信号に対してシェーディング補正やＧＡＰ補正等の各種処理を施す画像処理回路は、表面原稿からの画像データに対して画像処理を施す第１画像処理回路１１０と、裏面原稿からの画像データに対して画像処理を施す第２画像処理回路１００との２系統が備えられている。そして、第１画像処理回路１１０および第２画像処理回路１００からの出力信号は、画像変換処理回路１２０によってコントロールパネル８５からの指示信号に基づく画像変換処理が行われた後、例えばプリンタ等のＩＯＴ(Image Output Terminal)や、パーソナルコンピュータ(ＰＣ)等のホストシステムへ出力される。
【００３２】
一方、制御部９０では、各種両面読み取りの制御や片面読み取りの制御等を含め、原稿送り装置１０およびスキャナ装置７０の全体を制御する画像読み取りコントロール９１、ＣＣＤイメージセンサ７８およびＣＩＳ５０を制御するＣＣＤ／ＣＩＳコントロール９２、読み取りタイミングに合わせてＣＩＳ５０のＬＥＤ５２やフルレートキャリッジ７３の照明ランプ７４を制御するランプコントロール９３、スキャナ装置７０におけるモータのオン／オフなどを行いフルレートキャリッジ７３とハーフレートキャリッジ７５とのスキャン動作を制御するスキャンコントロール９４、原稿送り装置１０におけるモータの制御、各種ロールの動作やフィードクラッチの動作、ゲートの切り替え動作等を制御する搬送機構コントロール９５を備えている。これらの各種コントロールからは、原稿送り装置１０およびスキャナ装置７０に対して制御信号が出力され、かかる制御信号に基づいて、これらの動作制御が可能となる。
【００３３】
画像読み取りコントロール９１は、ホストシステム（ＨＯＳＴ）からの制御信号や、例えば自動選択読み取り機能に際して検出されるセンサ出力、さらにはコントロールパネル８５からの指示信号等に基づいて、読み取りモードを設定し、原稿送り装置１０およびスキャナ装置７０を制御している。読み取りモードとしては、上述したような、１パス(反転なし)による両面同時読み取りモード、反転パスによる反転両面読み取りモード、１パスによる片面読み取りモード等が選択される。
また画像読み取りコントロール９１は、コントロールパネル８５から送信された原稿サイズ指定信号と、表面原稿における画像読み取り領域の指定信号および裏面原稿における画像読み取り領域の指定信号とに基づいて、ＣＣＤ／ＣＩＳコントロール９２とランプコントロール９３とに対して必要な制御信号を送信する。そして、ＣＣＤ／ＣＩＳコントロール９２およびランプコントロール９３では、表面原稿および裏面原稿においてそれぞれ指定された画像読み取り領域からの画像データだけを出力するように、スキャナ装置７０およびＣＩＳ５０を制御する。具体的には、スキャナ装置７０およびＣＩＳ５０によって読み取られた表面原稿および裏面原稿の画像データのうち、指定された画像読み取り領域の画像データのみを信号処理部８１に送信し、指定された画像読み取り領域以外の画像データについては消去する処理を行っている。
【００３４】
次に、信号処理部８１の第１画像処理回路１１０および第２画像処理回路１００の機能と動作について説明する。
図４は、第２画像処理回路１００の構成を示したブロック図である。第２画像処理回路１００は、ＣＩＳ５０におけるシェーディングデータを補正するためのシェーディング補正部１０１、Ｒ、Ｇ、Ｂの３色用に３列一組で構成されたラインセンサの副走査方向における位置のずれに起因して、Ｒ、Ｇ、Ｂの各画像データ間に生じる読み取り時間差を補正するＧＡＰ補正部１０２、ＲＧＢ画像データをＬ＊ａ＊ｂ＊色空間の座標値に変換する色空間変換部１０３、画像の輪郭を抽出するためのフィルタ処理部１０４を備えている。そして、シェーディング補正部１０１、ＧＡＰ補正部１０２、色空間変換部１０３、フィルタ処理部１０４は、第２画像処理制御部１０５によって制御されている。
【００３５】
また、図５は、第１画像処理回路１１０の構成を示したブロック図である。第１画像処理回路１１０は、第２画像処理回路１００と同様に構成され、ＣＣＤイメージセンサ７８におけるシェーディングデータを補正するためのシェーディング補正部１１１、Ｒ、Ｇ、Ｂの画像データ間に生じる読み取り時間差を補正するＧＡＰ補正部１１２、ＲＧＢ画像データをＬ＊ａ＊ｂ＊色空間の座標値に変換する色空間変換部１１３、画像の輪郭を抽出するためのフィルタ処理部１１４を備えている。そして、シェーディング補正部１１１、ＧＡＰ補正部１１２、色空間変換部１１３、フィルタ処理部１１４は、第１画像処理制御部１１５によって制御されている。
【００３６】
第２画像処理回路１００においては、ＣＩＳ５０から読み取られた画像データは、まずシェーディング補正部１０１によりシェーディング補正が施される。シェーディング補正された画像データは、ＧＡＰ補正部１０２によりＲ、Ｇ、Ｂの画像データ間に生じている読み取り時間差を補正する。すなわち、ＣＩＳ５０に配置されたラインセンサ５４では、Ｒ、Ｇ、Ｂの３色用に３列一組で構成されたラインセンサが、原稿の移動方向（副走査方向）に沿って互いに所定の間隔を隔てて位置していることから、第２画像処理回路１００には、原稿上の同一画素についてのＲ、Ｇ、Ｂそれぞれの画像データが、それぞれ一定の時間（ラインセンサの間隔／原稿の搬送速度）ずつずれて出力される。そのため、ＧＡＰ補正部１０２によって、これらのＲ、Ｇ、Ｂの画像データ間に生じた読み取り時間のずれを補正している。したがって、ＧＡＰ補正部１０２を経たＲ、Ｇ、Ｂの画像データは、原稿上の同一画素におけるＲ、Ｇ、Ｂの画像データとして同時に出力される。
【００３７】
色空間変換部１０３では、Ｒ、Ｇ、Ｂの画像データをＬ＊ａ＊ｂ＊色空間の座標値に変換する。そして、フィルタ処理部１０４において、画像データの中の着目画素を取り巻く、例えば前後左右の２ラインずつを含めた５×５（＝２５）の画素（近傍画素）から、着目画素のグレイレベルを求める。その際、近傍画素に所定の重み付けを行うことにより、画像の輪郭を抽出することができる。したがって、フィルタ処理部１０４を経ることによって、原稿上の画像領域が明確に把握された画像データとして、画像変換処理回路１２０へ画像データを出力することができる。
【００３８】
第１画像処理回路１１０においても、ＣＣＤイメージセンサ７８から読み取られた画像データが、ＣＩＳ５０から読み取られた画像データと同様に、シェーディング補正部１１１によるシェーディング補正、ＧＡＰ補正部１１２によるＲ、Ｇ、Ｂの画像データ間に生じた読み取り時間のずれの補正、色空間変換部１１３によるＲ、Ｇ、Ｂの画像データのＬ＊ａ＊ｂ＊色空間座標値への変換、フィルタ処理部１１４による画像の輪郭を抽出する処理が行われる。
なお、表面原稿と裏面画像とで解像度が異なる場合には、ＧＡＰ補正部１０２およびＧＡＰ補正部１１２は、それぞれ第２画像処理制御部１０５および第１画像処理制御部１１５からの指示により、表面原稿から読み取られた画像データと裏面画像から読み取られた画像データとのマッチングを図るために、画素の補間または間引きを行うように構成することも可能である。
【００３９】
次に、画像変換処理回路１２０について説明する。
図６は、画像変換処理回路１２０の構成を示したブロック図である。画像変換処理回路１２０は、第１画像処理回路１１０から画素毎に順次出力された表面原稿の画像データ（Ｌ＊１、ａ＊１、ｂ＊１）と、第２画像処理回路１００から画素毎に順次出力された裏面原稿の画像データ（Ｌ＊２、ａ＊２、ｂ＊２）とに対して画像変換処理を行う画像変換処理部１２１、画像変換処理部１２１において画像変換処理が行われた画像データの一部を一時的に保持するバッファ部１２２、画像変換処理部１２１から出力された表面原稿および表面原稿の画像データを、Ｌ＊ａ＊ｂ＊色空間の座標からＹ（イエロー）、Ｍ（マゼンタ）、Ｃ（シアン）、Ｋ（黒）の画像データに色変換するルックアップテーブル（ＬＵＴ）部１２３を備えている。そして、画像変換処理部１２１、ルックアップテーブル（ＬＵＴ）部１２３は、画像変換処理制御部１２４によって制御されている。
【００４０】
画像変換処理回路１２０は、第２プラテンガラス７２ＢにおいてＣＣＤイメージセンサ７８によって表面原稿（第１面）の読み取りが行なわれるのと同時に、第２のセンサであるＣＩＳ５０によって裏面原稿（第２面）の読み取りが行なわれるのに伴い、コントロールパネル８５からの入力により指示された画像読み取り領域に関する表面原稿および裏面原稿の双方の画像データを、第１画像処理回路１１０と第２画像処理回路１００からリアルタイムで受信する。
そして、画像変換処理回路１２０では、第１画像処理回路１１０から出力された表面原稿に関する画像データと、第２画像処理回路１００から出力された裏面原稿に関する画像データとに対し、コントロールパネル８５から入力された画像方向指定信号と、表面原稿と裏面原稿との関係性に関する指定信号と、さらには画像出力位置指定信号、画像変換種類指定信号とに基づく画像変換処理をリアルタイムで行なう。
【００４１】
その際には、まず、画像変換処理回路１２０の画像変換処理制御部１２４に、コントロールパネル８５から、原稿サイズ指定信号と、第１の読み取り領域指定信号と、第２の読み取り領域指定信号と、画像方向指定信号と、表面原稿と裏面原稿との関係性に関する指定信号と、さらには画像出力位置指定信号と、画像変換種類指定信号とが入力される。そして、画像変換処理制御部１２４においては、かかる各種信号に基づいて、表面原稿の画像データおよび／または裏面原稿の画像データに対する画像変換の種類（移動、回転、拡大・縮小等）の選択やその変換量（移動量、移動方向、回転量、回転中心座標位置、拡大率、縮小率等）の計算がなされて、画像変換指示信号として画像変換処理部１２１に出力される。
画像変換処理部１２１では、原稿送り装置１０による原稿の搬送が行なわれるのに合わせて出力される、表面原稿における指定された画像読み取り領域（指定画像領域）についての画像データと、裏面原稿における指定画像領域についての画像データとのそれぞれに対して、画像変換処理制御部１２４からの画像変換指示信号に基づいて、リアルタイムに変換処理を行う。その際に、変換処理された表面原稿に関する画像データと、変換処理された裏面原稿に関する画像データとが、対応付けられて出力されるように、変換処理された表面原稿に関する画像データの一部および／または変換処理された裏面原稿に関する画像データの一部がバッファ部１２２に一時的に保持される。
そして、表面原稿に関する画像データと裏面原稿に関する画像データとがそれぞれ対応付けられるように、それぞれの画像データが変換処理された後直ちに、または一時的に保持されたバッファ部１２２から読み出された画像データとともに、ＬＵＴ部１２３に出力される。
【００４２】
ここで具体的に、画像変換処理回路１２０によって行なう画像変換処理について述べる。図７〜図９は、画像変換処理回路１２０によって行なわれる画像変換処理を説明する図である。まず図７に示したケースは、表面原稿に関して一部の領域だけを指定し、裏面原稿に関しても一部の領域だけを指定して出力する場合であって、その表面原稿の指定画像領域と裏面原稿の指定画像領域との間には関係性がある場合である。この場合には、表面原稿の指定画像領域と、裏面原稿の指定画像領域との、位置や向きなどの相関関係が保持されたまま、同一出力用紙の表面と裏面にそれぞれ配置して出力するような、両面印刷を前提とした画像変換処理を行う。図７のケースでは、表面原稿に関する画像方向指定信号および裏面原稿に関する画像方向指定信号はともに「上向き」であり、表面原稿の指定画像領域（「東」の領域）については、原稿サイズ指定信号に基づく原稿サイズの領域（原稿サイズ領域）において、画像出力位置指定信号に基づき左上端部位置を基準点（表面基準点）として、この表面基準点と表面原稿の指定画像領域の左上位置とが合致するように出力される。
【００４３】
図７（ａ）では、裏面原稿の指定画像領域（「Ｅ」の領域）が、元々表面原稿の指定画像領域（「東」の領域）の裏面に位置している場合である。この場合には、裏面原稿の指定画像領域については、原稿サイズ領域の表面基準点に対応する裏面の位置（裏面においては右上端部位置：裏面基準点）と、読み取られた裏面原稿の指定画像領域の右上端部位置とが、原稿において有した位置関係と一致するように、必要に応じて平行移動の画像変換処理が行われて出力される。
図７（ｂ）に示したように、裏面原稿の指定画像領域（「Ｓ」、「Ｗ」、「Ｎ」の領域）が、それぞれ表面原稿の指定画像領域（「東」の領域）の裏面位置とは異なる位置に存在する場合には、裏面原稿の指定画像領域を、原稿において有した表面原稿との位置関係および向き関係を崩さないように、指定画像領域の裏面同一関係位置に平行移動させる画像変換処理を行う。その際、一方の原稿面（裏面原稿）における平行移動の画像変換処理において、画像の読み取り方向（原稿の移動方向）における前方への移動を含む場合には、他方の原稿面（表面原稿）の指定画像領域における画像データのうち、この裏面原稿の指定画像領域の前方への移動量に相当する分の画像データについては、一時的にバッファ部１２２に保持しておく。そして、例えば画像の読み取り方向（原稿の移動方向）に対して直交する方向への移動等の、裏面原稿の指定画像領域に対する画像変換処理が行われるタイミングに合わせて、表面原稿の指定画像領域における画像データをバッファ部１２２から読み出すことにより、両面が同時に読み込まれる場合においても、表面原稿と裏面原稿の両画像の位置関係を保持するように画像データを出力することができる。
【００４４】
次に、図８に示したケースは、表面原稿に関して一部の領域だけを指定し、裏面原稿に関しても一部の領域だけを指定する場合であって、かつその表面原稿の指定画像領域と裏面原稿の指定画像領域との間には関係性がない場合である。この場合には、表面原稿の指定画像領域の位置とは独立させた裏面位置に、裏面原稿の指定画像領域が位置するように画像変換処理を行うことができる。したがって、裏面原稿の指定画像領域の位置は、種々の条件で定めることができ、図８に示したケースでは、例えば裏面原稿の指定画像領域の余白位置に基づいて、コントロールパネル８５から出力位置指定信号により裏面原稿の指定画像領域の配置位置を定めるように設定した場合を示している。すなわち、裏面原稿の指定画像領域は、その余白位置と、想定される出力画面の余白位置とが同方向位置となるように配置位置を定め、コントロールパネル８５から画像出力位置の指定を行なうことによって、画像欠けを極力無くすように設定することができる。この場合には、片面毎の印刷および両面印刷の双方に対応することができる。なお、図８のケースでも、表面原稿に関する画像方向指定信号は「上向き」であり、表面原稿の指定画像領域（「東」の領域）については、原稿サイズ指定信号に基づき定められた原稿サイズ領域において、左上端部位置を表面基準点として、この表面基準点と表面原稿の指定画像領域の左上端部位置とが一致するように出力される。
【００４５】
図８（ａ）では、裏面原稿の指定画像領域（「Ｎ」の領域）の余白位置が右上領域に存在することに基づき、裏面原稿の指定画像領域の配置位置を左下位置に定める場合である。この場合には、裏面原稿の指定画像領域については、原稿サイズ領域の左下端部位置を裏面基準点として、この裏面基準点と裏面原稿の指定画像領域の左下端部位置とが一致するように、読み取られた画像データに対して左方向に移動させる画像変換処理を行って出力する。図８（ｂ）では、裏面原稿の指定画像領域（「Ｎ」の領域）の余白位置が左下領域に存在することに基づき、裏面原稿の指定画像領域の配置位置を右上位置に定める場合である。この場合には、裏面原稿の指定画像領域については、原稿サイズ領域の右上端部位置を裏面基準点として、この裏面基準点と裏面原稿の指定画像領域の右上端部位置とが一致するように、読み取られた画像データに対して上方向に移動させる画像変換処理を行って出力する。
【００４６】
また、図８（ｃ）では、裏面原稿の指定画像領域（「Ｎ」の領域）の余白位置が右下領域に存在することに基づき、裏面原稿の指定画像領域の配置位置を左上位置に定める場合である。この場合には、裏面原稿の指定画像領域については、原稿サイズ領域の左上端部位置を裏面基準点として、この裏面基準点と裏面原稿の指定画像領域の左上端部位置とが一致するように、読み取られた画像データに対して左上方向に移動させる画像変換処理を行って出力する。図８（ｄ）では、裏面原稿の指定画像領域（「Ｎ」の領域）の余白位置が左上領域に存在することに基づき、裏面原稿の指定画像領域の配置位置を右下位置に定める場合である。この場合には、裏面原稿の指定画像領域については、原稿サイズ領域の右下端部位置を裏面基準点として、この裏面基準点と裏面原稿の指定画像領域の右下端部とが一致するように、読み取られた画像データに対して位置調整する画像変換処理を行って出力する。
なお、図８のケースにおいて、画像データに対する移動変換の画像変換処理に加えて、画像変換種類指定信号による指示に基づき、回転変換や拡大・縮小の画像変換処理をさらに行うこともできる。
【００４７】
次に、図９に示したケースは、表面原稿に関して一部の領域だけを指定し、裏面原稿に関しても一部の領域だけを指定する場合であって、かつその表面原稿の指定画像領域と裏面原稿の指定画像領域との間には関係性がない場合である。そして、図９のケースは、左綴じおよび上綴じの両方に対応した片面印刷を想定し、裏面原稿の画像方向指定信号に基づいて、裏面原稿の指定画像領域（「Ｓ」、「Ｗ」、「Ｅ」、「Ｎ」の領域）の左上端部位置が原稿サイズ領域の裏面基準点として定められた左上端部位置と一致するとともに、裏面原稿の指定画像領域が表面原稿と同じ方向（図面上方向）を向くように画像変換処理を行う場合である。なお、図９のケースでも、表面原稿に関する画像方向指定信号は「上向き」であり、表面原稿の指定画像領域（「東」の領域）については、原稿サイズ指定信号に基づいて定められた原稿サイズ領域において、左上端部位置を表面基準点として、この表面基準点と表面原稿の指定画像領域の左上端部位置とが一致するように出力される。
【００４８】
図９（ａ）では、裏面原稿の指定画像領域として「Ｓ」の領域を指定した場合であって、この「Ｓ」の領域における画像方向指定信号は「上向き」であり、「Ｓ」の領域は左上に位置するから、原稿サイズ領域の裏面基準点と、「Ｓ」の領域の左上端部位置とが一致するように、必要に応じて平行移動の画像変換処理が行われて出力される。図９（ｂ）では、裏面原稿の指定画像領域として「Ｗ」の領域を指定した場合であって、この「Ｗ」の領域における画像方向指定信号は「左向き」であり、「Ｗ」の領域は左下に位置するから、「Ｗ」の領域に対しては、時計の回転方向に向けて９０°の回転と、回転された「Ｗ」の領域の左上端部位置と原稿サイズ領域の裏面基準点とが一致するように左上位置への平行移動との画像変換処理を行なって出力する。
また、図９（ｃ）では、裏面原稿の指定画像領域として「Ｅ」の領域を指定した場合であって、この「Ｅ」の領域における画像方向指定信号は「右向き」であり、「Ｅ」の領域は右上に位置するから、「Ｅ」の領域に対しては、時計の回転方向とは逆方向に向けて９０°の回転と、回転された「Ｅ」の領域の左上端部位置と原稿サイズ領域の裏面基準点とが一致するように左上位置への平行移動との画像変換処理を行なって出力する。図９（ｄ）では、裏面原稿の指定画像領域として「Ｎ」の領域を指定した場合であって、この「Ｎ」の領域における画像方向指定信号は「下向き」であり、「Ｎ」の領域は右下に位置するから、「Ｎ」の領域に対しては、１８０°の回転と、回転された「Ｎ」の領域の左上端部位置と原稿サイズ領域の裏面基準点とが一致するように左上位置への平行移動との画像変換処理を行なって出力する。
【００４９】
なお、図９のケースでは、表面原稿の指定画像領域（「東」の領域）が「上向き」、すなわち表面原稿の指定画像領域の画像方向指定信号は「上向き」であることから、裏面原稿の指定画像領域も「上向き」となるように、画像変換処理を行ったが、例えば表面原稿の指定画像領域の画像方向指定信号が「左向き」や「右向き」、「下向き」である場合には、裏面原稿の指定画像領域も、それに対応させて「左向き」や「右向き」、「下向き」となるような回転を施す画像変換処理を行うこともできる。この場合にも、回転された各領域の対応する端部位置と原稿サイズ領域の裏面基準点とが一致するような平行移動の画像変換処理が同時に行なわれる。
【００５０】
続いて、画像変換処理回路１２０によって行なわれる画像変換処理の流れについて説明する。図１０は、画像変換処理回路１２０の画像変換処理制御部１２４が行なう処理の流れの一例を示すフローチャートである。図１０に示すように、まずコントロールパネル８５から入力した各種指定信号の中から、原稿サイズ指定信号に基づいて原稿サイズを認識して原稿サイズ領域を設定し、例えば原稿サイズ領域の右上端部、右下端部、左下端部、左上端部のいづれかの座標点を、表面原稿および裏面原稿における基準点（表面基準点、裏面基準点）として設定する（Ｓ１）。次に、コントロールパネル８５からの表面原稿における画像読み取り領域の指定信号、裏面原稿における画像読み取り領域の指定信号、および画像方向指定信号に基づき、表面原稿の指定画像領域および裏面原稿の指定画像領域の方向、指定画像領域の各端部座標を把握する（Ｓ２）。
【００５１】
次に、コントロールパネル８５からの表面原稿と裏面原稿との関係性の有無の指定信号に基づいて、表面原稿と裏面原稿との間に関係性があるか否かを判断する（Ｓ３）。表面原稿と裏面原稿との関係性の有無の指定信号は、ユーザからの指定に基づいてコントロールパネル８５から入力されている。なお、この場合には、原稿送り装置１０において搬送される原稿の搬送方向が原稿の方向と一致する場合を前提としている。
ステップＳ３において表面原稿と裏面原稿との間に関係性があると判断された場合には、まず、表面原稿に関しては、例えば原稿サイズ領域の左上端部位置を表面基準点として、表面原稿の指定画像領域の左上端部位置をこの表面基準点に一致させて配置するための移動方向および移動量を計算する（Ｓ４）。
続いて、ステップＳ１において決定された裏面原稿における原稿サイズ領域の基準点（裏面基準点：右上端部位置）に基づいて、表面原稿と裏面原稿との間の相対関係を崩さないように裏面原稿の指定画像領域を位置させるための、裏面原稿の指定画像領域に対して行なう平行移動の画像変換処理に伴う移動量、移動方向の決定を行う（Ｓ５）。なお、ステップＳ５においては、表面原稿と裏面原稿との間の相対関係が崩れてしまうような矛盾した設定がユーザによってなされた場合には、矛盾のない設定に変更するか、または、関係性がないものとしてステップＳ６以降の処理を行うこともできる。
【００５２】
一方、ステップＳ３において表面原稿と裏面原稿との間に関係性がないと判断された場合にも、まず、表面原稿に関して、例えば原稿サイズ領域の左上端部位置を表面基準点として、表面原稿の指定画像領域の左上端部位置をこの表面基準点に一致させて配置するための移動方向および移動量を計算する（Ｓ６）。
続いて、ステップＳ２で把握された裏面原稿の指定画像領域の方向、領域の各端部座標、さらには画像変換種類指定信号に基づいて、表面原稿の方向に一致するように、裏面原稿の指定画像領域を回転させる画像変換処理の必要の有無を判断する。また、拡大・縮小の画像変換処理を行う必要の有無の判断を行なうことも可能である（Ｓ７）。ステップＳ７において、裏面原稿の指定画像領域に対する回転、さらには拡大・縮小の画像変換処理の必要があると判断された場合には、裏面原稿の指定画像領域に対して回転および／または拡大・縮小の画像変換処理に伴う、回転中心点の座標および回転角度の計算、拡大率・縮小率の計算を行う（Ｓ８）。
次に、ユーザが裏面原稿の指定画像領域の配置位置に関する指定を行なっているか否か（出力位置の指定の有無）を判断する（Ｓ９）。すなわち、ユーザは裏面原稿の指定画像領域の配置位置に関して、例えば裏面原稿の指定画像領域における余白位置に基づいて、「右上配置」、「右下配置」、「左上配置」、「左下配置」を選択することが可能であり、これらの配置位置が指定されているか否かを判断する。
【００５３】
ステップＳ９において、裏面原稿の指定画像領域の配置位置が指定されている場合には、指定された配置位置における原稿サイズ領域の裏面基準点を決定する（Ｓ１０）。すなわち、「右上配置」が指定された場合には、右上端部位置を裏面基準点とし、「右下配置」が指定された場合には、右下端部位置を裏面基準点とし、「左上配置」が指定された場合には、左上端部位置を裏面基準点とし、「左下配置」が指定された場合には、左下端部位置を裏面基準点とする。
その後、ステップＳ８において回転および／または拡大・縮小の画像変換処理に伴う諸量の決定がなされた場合には、かかる画像変換処理されたと仮定した場合の裏面原稿の指定画像領域において、指定された配置位置における原稿サイズ領域の裏面基準点に対応した端部位置の座標を計算する。また、かかる画像変換処理が施されない場合には、指定された裏面原稿の指定画像領域において、指定された配置位置における原稿サイズ領域の裏面基準点に対応した端部位置の座標を把握する。そして、ステップＳ１０において決定された裏面原稿における原稿サイズ領域の裏面基準点と、裏面原稿の指定画像領域の対応する端部位置とが一致するように、平行移動の画像変換処理に伴う移動量、移動方向の決定を行う（Ｓ１１）。
【００５４】
ステップＳ９において、裏面原稿の指定画像領域の配置位置が指定されていない場合には、原稿サイズ領域の左上端部位置を裏面基準点に設定する（Ｓ１２）。
そして、ステップＳ８において回転および／または拡大・縮小の画像変換処理に伴う諸量の決定がなされた場合には、かかる画像変換処理されたと仮定した場合の裏面原稿の指定画像領域の左上端部の座標を計算する。また、かかる画像変換処理が施されない場合には、指定された裏面原稿の指定画像領域の左上端部の座標を把握する。そして、ステップＳ１２において設定された裏面原稿における原稿サイズ領域の裏面基準点と、裏面原稿の指定画像領域の左上端部とが一致するように、平行移動の画像変換処理に伴う移動量、移動方向の決定を行う（Ｓ１３）。これは、原稿の書き出し始点が、一般的に左上にあることが多いことから、裏面原稿の指定画像領域の配置位置が指定されていない場合には、一律に原稿サイズ領域の左上端部位置を裏面基準点に設定したものである。これによって、原稿サイズよりも小さなサイズの用紙に印刷されることを想定したとしても、画像欠け領域を極力無くすことが可能となる。また、一般に行われる左綴じや上綴じにも対応が可能である。なお、裏面原稿の指定画像領域の裏面基準点をどこに設定するかは、様々な事情によって、任意に設定できるように構成することも可能である。
【００５５】
このようにして、画像変換処理回路１２０の画像変換処理制御部１２４における一連の処理過程で得られた、表面原稿の指定画像領域に関する移動方向および移動量、表面原稿の指定画像領域に関する移動方向および移動量、さらに回転中心点の座標および回転角度、拡大率・縮小率は、画像変換指示信号として、画像変換処理部１２１に送信される。そして、画像変換処理部１２１では、原稿送り装置１０による原稿の搬送が行なわれるのに合わせて同時に出力される表面原稿の指定画像領域についての画像データと、裏面原稿の指定画像領域についての画像データとのそれぞれに対して、画像変換処理制御部１２４からの画像変換指示信号に基づいて、リアルタイムに画像変換処理が行われることとなる。
【００５６】
画像変換処理回路１２０における次の過程では、画像変換処理制御部１２４において画像変換処理が行われた表面の画素毎の画像データ（Ｌ＊１、ａ＊１、ｂ＊１）と、裏面の画素毎の画像データ（Ｌ＊２、ａ＊２、ｂ＊２）とは、ルックアップテーブル (ＬＵＴ)部１２３に出力される。そして、これらの画像データは、ＬＵＴ部１２３において、Ｌ＊ａ＊ｂ＊色空間の座標値からＹ（イエロー）、Ｍ（マゼンタ）、Ｃ（シアン）、Ｋ（黒）の画像データに色空間変換される。そして、ＬＵＴ部１２３から、例えばプリンタ等のＩＯＴ(Image Output Terminal)や、パーソナルコンピュータ(ＰＣ)等のホストシステムのような外部の機器に出力される。
【００５７】
なお、本実施の形態の画像読み取り装置では、表面原稿に関する画像読み取り領域の指定と、裏面原稿に関する画像読み取り領域との指定において、表面原稿に関して一部の領域だけを指定し、裏面原稿に関しても一部の領域だけを指定した場合を示したが、表面原稿または裏面原稿の全領域を指定することもできる。
また、表面基準点や裏面基準点として、それぞれの原稿サイズ領域の端部位置を定めたが、例えば、ヘッダやフッタ、左右のマージン等を考慮する等して、原稿サイズ領域内の任意の位置を定めることも可能である。
【００５８】
以上説明したように、本実施の形態の画像読み取り装置では、スキャナ装置７０のＣＣＤイメージセンサ７８とＣＩＳ５０のラインセンサ５４とによって同時に読み取られた原稿の表面と裏面の画像データに対し、コントロールパネル８５から入力されたユーザからの指定に基づき、所望の態様に変換された画像データを表裏同時に出力することが可能である。したがって、特に両面原稿においては、原稿の表面画像と裏面画像との相互間の関係性に対応させて、その関係性を考慮した画像変換処理が施された両面の画像データを同時に出力することが可能となる。そのため、画像読み取り装置から出力された画像データを扱う画像形成装置や画像表示装置等において、その後の処理を迅速に行なうことができるので、原稿が原稿送り装置１０によって搬送されるのと略同時に、ユーザの意思に沿った画像変換処理が施された画像を出力することが可能となる。
また、原稿が原稿送り装置１０によって搬送されるのに対応してリアルタイムで画像変換処理を行うことができるので、ページ単位のメモリを必要とせず、安価に画像読み取り装置を製造することも可能となる。
【産業上の利用可能性】
【００５９】
本発明の活用例として、電子写真方式やインクジェット方式等の複写機やファクシミリ、プリンタといった画像形成装置における画像読み取り装置としての適用、ディスプレイやプロジェクタ等といった画像表示装置における画像読み取り装置としての適用、コンピュータ入力用のスキャナ等としての適用がある。
【図面の簡単な説明】
【００６０】
【図１】本実施の形態が適用される画像読み取り装置を示した図である。
【図２】ＣＩＳの構造を説明するための図である。
【図３】処理装置を説明するためのブロック図である。
【図４】第２画像処理回路の構成を示したブロック図である。
【図５】第１画像処理回路の構成を示したブロック図である。
【図６】画像変換処理回路の構成を示したブロック図である。
【図７】画像変換処理回路によって行なわれる画像変換処理の一例を説明する図である。
【図８】画像変換処理回路によって行なわれる画像変換処理の一例を説明する図である。
【図９】画像変換処理回路によって行なわれる画像変換処理の一例を説明する図である。
【図１０】画像変換処理回路の画像変換処理制御部が行なう処理の流れの一例を示すフローチャートである。
【符号の説明】
【００６１】
１０…原稿送り装置、１１…原稿トレイ、１３…ナジャーロール、１９…プラテンロール、５０…ＣＩＳ(Contact Image Sensor)、５２…ＬＥＤ、５４…ラインセンサ、６０…突き当て部材、７０…スキャナ装置、７２Ｂ…第２プラテンガラス、７８…ＣＣＤ(Charge Coupled Device)イメージセンサ、８０…処理装置、８１…信号処理部、８２,８３…ＡＦＥ(Analog Front End)、８５…コントロールパネル、９０…制御部、１００…第２画像処理回路、１０１,１１１…シェーディング補正部、１０２,１１２…ＧＡＰ補正部、１０３,１１３…色空間変換部、１０４,１１４…フィルタ処理部、１０５…第２画像処理制御部、１１０…第１画像処理回路、１１５…第１画像処理制御部、１２０…画像変換処理回路、１２１…画像変換処理部、１２２…バッファ部、１２３…ルックアップテーブル (ＬＵＴ)部、１２４…画像変換処理制御部
【図１】
2005268893.tif 000003
【図２】
2005268893.tif 000004
【図３】
2005268893.tif 000005
【図４】
2005268893.tif 000006
【図５】
2005268893.tif 000007
【図６】
2005268893.tif 000008
【図７】
2005268893.tif 000009
【図８】
2005268893.tif 000010
【図９】
2005268893.tif 000011
【図１０】
2005268893.tif 000012